(57)【要約】      （修正有）【課題】肌側の水分を引き出して水分子を利用して発熱効果を発揮することで汗冷えを防止可能な汗冷え防止用吸湿発熱生地およびこの生地を用いた衣料を提供する。【解決手段】汗冷え防止用吸湿発熱生地であって、ポリプロピレン糸を用いた編み物にて構成された単方向導湿層１と、吸湿発熱層３とが、接続糸２によって積層一体化されている。単方向導湿層は、平編地あるいはメッシュ状凹凸構造体にて構成され、吸湿発熱層は、平編地あるいはメッシュ編地にて構成されている。【選択図】図１
0003225174.tif 000002
【実用新案登録請求の範囲】
【請求項１】
ポリプロピレン糸を用いた編み物にて構成された単方向導湿層と、吸湿発熱層とが、積層一体化されていることを特徴とする汗冷え防止用吸湿発熱生地。
【請求項２】
単方向導湿層は、平編地あるいはメッシュ状凹凸構造体にて構成されていることを特徴とする請求項１記載の汗冷え防止用吸湿発熱生地。
【請求項３】
吸湿発熱層は、平編地あるいはメッシュ編地にて構成されていることを特徴とする請求項１記載の汗冷え防止用吸湿発熱生地。
【請求項４】
生地の目付けが１２０−３００ｇ／ｍ２であることを特徴とする請求項１記載の汗冷え防止用吸湿発熱生地。
【請求項５】
吸湿発熱層は、発熱糸を用いた編み物にて構成されていることを特徴とする請求項１記載の汗冷え防止用吸湿発熱生地。
【請求項６】
吸湿発熱層は、発熱糸とスパン糸の交編層であることを特徴とする請求項１記載の汗冷え防止用吸湿発熱生地。
【請求項７】
発熱糸の番手が２０−６０Ｓであることを特徴とする請求項５または６記載の単方向導湿性吸湿発熱生地。
【請求項８】
ポリプロピレン糸は、長繊維と短繊維を含むことを特徴とする請求項１記載の汗冷え防止用吸湿発熱生地。
【請求項９】
ポリプロピレン長繊維の番手は３０−２００Ｄであり、ポリプロピレン短繊維の番手は２０−６０Ｓであることを特徴とする請求項８記載の汗冷え防止用吸湿発熱生地。
【請求項１０】
請求項１から９までのいずれか１項に記載の生地を用いて製作されたものであることを特徴とする衣料。
【考案の詳細な説明】
【技術分野】
【０００１】
本考案は汗冷え防止用吸湿発熱生地およびこの生地を用いた衣料に関する。
【背景技術】
【０００２】
紡績生産技術の発展に伴い、消費者の多様なニーズを満たすために様々な機能性生地が現れている。特に汗をかきやすい人には、着ている服に優れた吸湿速乾性が要求される。さもなければ、肌にベタベタして悪い着心地が気になる。激しい運動や力仕事を行った場合には、その後に、汗がいっぱい出てくる。汗が蒸発する時に体の熱を奪うので、湿っぽい感じがして風邪を引きやすい。もし汗がかいたときにすぐ上着を着ると、汗が出にくくなり、体の調子が悪くなる。
【０００３】
公知の単方向導湿性生地は、通常は生地に吸湿速乾と防水のための薬剤をコーティングなどすることで、単方向導湿のための機能を発現させている。しかし、洗濯回数が増えるにつれて効果も下がる。それに、防水薬剤として分解しにくいフルオロカーボンを含む場合は、環境に悪い影響がある。ほかの公知の単方向導湿性生地として、特許文献１に記載されたものがある。
【０００４】
吸湿発熱繊維は、大きい分子の極性基体を利用して、水分子の運動エネルギを熱エネルギに変換する。公知の吸湿発熱性繊維ある生地は、そのほとんどが、ＥＫＳ繊維、Ｔｈｅｒｍｏｇｅａｒ繊維、Ｒｅｎａｉｓｓａ繊維等を使っている。しかし、これらの繊維は、価格が高いだけではなく、製造技術も煩雑である。
【先行技術文献】
【特許文献】
【０００５】
【特許文献１】中国実用新案登録第２０４２８１９８５号明細書
【考案の概要】
【考案が解決しようとする課題】
【０００６】
そこで、本考案は、このような問題点を解決して、肌側の水分を引き出して水分子を利用して発熱効果を発揮することで汗冷えを防止可能な、汗冷え防止用吸湿発熱生地およびこの生地を用いた衣料を得ることを目的とする。
【課題を解決するための手段】
【０００７】
この目的を達成するため本考案の汗冷え防止用吸湿発熱生地は、ポリプロピレン糸を用いた編み物にて構成された単方向導湿層と、吸湿発熱層とが、積層一体化されていることを特徴とするものである。
【０００８】
本考案の衣料は、上記生地を用いて製作されたものであることを特徴とする。
【考案の効果】
【０００９】
本考案の衣料によれば、肌側に汗や入浴後の水分が残っている時に、単方向導湿層は水分を肌側の面から吸湿発熱層の側の面まで引き出して、水分を吸湿発熱層に固定することができる。吸湿発熱層では、水分子の運動エネルギを熱エネルギに変換して発熱の効果を達成させる。このため、本考案の生地およびこの生地を用いた衣料は、汗冷え防止の特性を持って、衣料の着用者が湿気と寒さにより風邪をひくこと等を避けることができる。
【図面の簡単な説明】
【００１０】
【図１】本考案の実施の形態の汗冷え防止用吸湿発熱生地の断面構造の例を示す図である。
【考案を実施するための形態】
【００１１】
本考案の実施の形態の生地は、図１に示すように、単方向導湿層１と、吸湿発熱層３とが、接続糸２によって積層状態で接続一体化されたものである。
【００１２】
単方向導湿層１は、たとえば、ポリプロピレン長繊維を用いた編み物にて構成することができる。ポリプロピレンは、軽量であるという特性を持つと同時に、湿気を一方向すなわち単方向に導く特性を有する。すなわち、水を生地すなわち単方向導湿層１の一方の面から反対側の他方面に引き出すことができる。詳細には、単方向導湿層１は、平編地あるいはメッシュ状凹凸構造体にて構成することができる。
【００１３】
単方向導湿層１は、長繊維と短繊維とを含むポリプロピレン糸にて構成することもできる。その場合に、ポリプロピレン長繊維の番手は、３０−２００Ｄの範囲であることが好適である。たとえば、５０Ｄ、７５Ｄ、１００Ｄ、１２０Ｄ、１５０Ｄなどを挙げることができる。短繊維の番手は、２０−６０Ｓの範囲であることが好適である。たとえば、２５Ｓ、３０Ｓ、３５Ｓ、４０Ｓ、５０Ｓ、５５Ｓなどを挙げることができる。
【００１４】
吸湿発熱層３は、公知の吸湿発熱繊維を用いた編物によって好適に構成することができる。詳細には、平編地あるいはメッシュ編地によって構成することができる。また、吸湿発熱層３を、吸湿発熱糸とスパン糸（例：ポリウレタン）との交編層にて構成することができる。その場合は、生地に伸び性を付与することができる。吸湿発熱糸の番手は、２０−６０Ｓが好ましい。たとえば、３０Ｓ、４０Ｓ、５０Ｓなどを挙げることができる。発熱糸は、市販品を利用することができて、発熱レーヨンで紡績することもできる。糸の丈夫さを考えて、ポリエステルと発熱レーヨンとを混紡した発熱糸を採用しても良い。これらの二種類の糸も市販品を利用することができる。
【００１５】
接続糸２に関し、積層構造の生地は、単方向導湿層１と吸湿発熱層３の両方とも平編地として、これらを接続糸２で繋げるのが好ましい構成である。この場合の接続糸２は、ポリプロピレン長繊維あるいは発熱糸にて構成することができる。同時に接続糸２は、二重構造中の編み糸である。生地は、横網の片面編み機か両面編み機でたて編みすることで、得ることができる。
【００１６】
図１に示される積層構造の生地は、目付けが１２０−３００ｇ／ｍ２であることが好ましい。たとえば、１４０ｇ／ｍ２、１６０ｇ／ｍ２、１８０ｇ／ｍ２、２００ｇ／ｍ２、２２０ｇ／ｍ２、２３０ｇ／ｍ２、２５０ｇ／ｍ２などとすることができる。すなわち生地を軽量に構成することができるので、良好な着心地とすることができる。生地巾は、１４５−１８５ｃｍであることが好ましい。たとえば、１５５ｃｍ、１６５ｃｍ、１７５ｃｍなどに設定することができる。
【００１７】
この積層構造の生地は、ダブルフェースがあって、それぞれの機能性を持つ。単方向導湿層１を裏側面として使う場合、肌側に汗や入浴後の水分が残っている時に、単方向導湿層１は、水分を、肌側の面から吸湿発熱層３の側の面まで引き出して、吸湿発熱層３に固定させることが出来る。同時に水分子の運動エネルギを熱エネルギに変換して発熱の効果を達成させる。そのため、この積層構造の生地は、汗冷え防止の特性を持つ。このことから、この生地を用いた衣料は、着用者が湿気と寒さとにより風邪をひくことなどを避けることができる。
【００１８】
もし単方向導湿層１だけの衣料であれば、水分を肌側の面から反対側に導くしかなく、熱エネルギに変換できないため、発熱効果が得られない。もし吸湿発熱層３だけの衣料であれば、肌側の面のサラサラ感を持ち続けることができない。それで単方向導湿層１と吸湿発熱層３が両方とも必要である。
【００１９】
すなわち、本考案の衣料は、上記の生地で構成される。上記の生地を用いて、デザイン、型紙作成、裁断、縫製、アイロンセットの流れで、衣料すなわち服を作製することができる。衣料のタイプとしては、秋冬のＴシャツ、トレーナー、パーカー、ジャージ、インナー等を挙げることができる。
【００２０】
本考案の衣料によれば、肌側に汗や入浴後の水分が残っている時に、単方向導湿層は水分を肌側の面から吸湿発熱層の側の面まで引き出して、水分を吸湿発熱層に固定することができる。吸湿発熱層では、水分子の運動エネルギを熱エネルギに変換して発熱の効果を達成させる。それで、本考案の生地およびこの生地を用いた衣料は、汗冷え防止の特性を持って、衣料の着用者が湿気と寒さにより風邪をひくこと等を避けることができる。
【符号の説明】
【００２１】
１    単方向導湿層
３    吸湿発熱層
【図１】
0003225174.tif 000003